(57)【要約】【課題】  少ない表示量であっても誤認識を抑制し、設定入力作業の正確性を担保する。【解決手段】  ミシンの縫製に関する各部の動作制御を行う制御手段２１と、ミシンの機能を設定するための機能特定コードを入力する設定入力手段２６と、各種機能に関する機能特定コードと機能内容表示の表示データとを関連づけて記憶する記憶手段２２と、制御手段の制御に基づいて所定の表示を行う表示手段２７とを備え、制御手段が、設定入力手段から機能特定コードの入力を受けると、記憶手段を参照して、入力された機能特定コードとこれに対応する表示データに基づく機能内容表示とを表示手段に交互に切り替え表示させる。【選択図】図５
2005312737.tif 000002
【特許請求の範囲】
【請求項１】
ミシンの縫製に関する各部の動作制御を行う制御手段と、
ミシンの機能を設定するための機能特定コードを入力する設定入力手段と、
各種機能に関する機能特定コードと機能内容表示の表示データとを関連づけて記憶する記憶手段と、
前記制御手段の制御に基づいて所定の表示を行う表示手段とを備え、
前記制御手段は、前記記憶手段を参照して、前記設定入力手段から入力された前記機能特定コードとこれに対応する表示データに基づく機能内容表示とを前記表示手段に交互に切り替え表示させることを特徴とするミシンの制御装置。
【請求項２】
前記制御手段に対し、前記機能特定コードと機能内容表示とのいずれを先行して表示させるかを、予め選択設定可能とすることを特徴とする請求項１記載のミシンの制御装置。
【請求項３】
前記制御手段に対し、前記先行して表示される機能特定コード又は機能内容表示の初回表示時間を予め設定可能とすることを特徴とする請求項２記載のミシンの制御装置。
【請求項４】
前記制御手段に対し、前記機能特定コードと機能内容表示の交互表示の切り替え時間を予め設定可能とすることを特徴とする請求項１，２又は３記載のミシンの制御装置。
【発明の詳細な説明】
【技術分野】
【０００１】
本発明は、オプション機能が付加されるミシンの制御装置に関する。
【背景技術】
【０００２】
従来のミシンの制御装置は、インタフェース、制御回路等を介してミシンの各部の駆動手段である各種のモータ、アクチュエータ、エアシリンダと接続され、これらに対して所定のタイミングで駆動信号の出力を行い、各種の諸機能に応じた制御を実現している。
そして、この従来の制御装置は、その制御に応じて各種の設定を入力するためのキースイッチからなる入力手段と、その設定内容を表示する４〜６個の７セグメントＬＥＤからなる表示手段を備えており、キースイッチからの入力内容を表示手段の表示から確認しながら設定入力作業を可能としていた。しかし、制御装置に設けられた表示手段は、その表示情報量が少ないことから、制御装置に、表示情報量が格段に大きな表示パネルを備えたパーソナルコンピュータを接続可能とし、その不断な表示能力を活用して各種の設定入力作業を可能としていた（例えば、特許文献１参照）。
【特許文献１】特開２００２−１４３５８１号公報
【発明の開示】
【発明が解決しようとする課題】
【０００３】
しかしながら、上記ミシンの制御装置は、表示パネルを有するパーソナルコンピュータが不可欠となり、制御装置単独では微小な表示能力の表示手段を使用しなければならいため設定入力作業を快適且つ正確に作業を行うことが困難であった。
また、ミシンの制御装置にパーソナルコンピュータを接続するためのインターフェースが必要となり、且つ接続作業も必要となり、煩雑となるという不都合があった。
本発明は、少ない表示能力の表示手段を活用して、設定作業を適切に行うことを、その目的とする。
【課題を解決するための手段】
【０００４】
請求項１記載の発明は、ミシンの縫製に関する各部の動作制御を行う制御手段と、ミシンの機能を設定するための機能特定コードを入力する設定入力手段と、各種機能に関する機能特定コードと機能内容表示の表示データとを関連づけて記憶する記憶手段と、制御手段の制御に基づいて所定の表示を行う表示手段とを備え、制御手段は、記憶手段を参照して、入力された機能特定コードとこれに対応する表示データに基づく機能内容表示とを表示手段に交互に切り替え表示させる、という構成を採っている。
【０００５】
上記構成では、制御手段が、機能特定コードの入力を受けると入力された機能特定コードに対応する機能が実行される。そして、かかる機能を特定するための機能特定コードが設定入力手段から入力されると、制御手段は、記憶手段を参照して機能特定コードが示す機能及び機能内容表示の表示データを特定する。
そして、制御手段は、表示手段を制御して、入力された機能特定コードと機能内容表示とを交互に表示させる。
これにより、設定入力を行なった作業者は、機能特定コードと機能内容表示の双方を視覚的に認識し、自己が設定すべき機能が正しく入力されたことを容易に認識する。
なお、機能内容表示とは、機能内容を示す文字列或いはその略式表記、機能内容の記号、図形表示、その他の視覚的に機能内容を把握することが可能な表示全般をいうものとする。
【０００６】
請求項２記載の発明は、請求項１記載の発明と同様の構成を備えると共に、制御手段に対し、機能特定コードと機能内容表示とのいずれを先行して表示させるかを、予め選択設定可能とする、という構成を採っている。
上記構成では、機能特定コードと機能内容表示とのいずれを先行して表示させるかを予め制御手段に設定することで、設定入力手段からの機能特定コードの入力時の表示において、機能特定コードと機能内容表示の内の設定されたものから先行して表示される。
【０００７】
請求項３記載の発明は、請求項２記載の発明と同様の構成を備えると共に、制御手段に対し、先行して表示される機能特定コード又は機能内容表示の初回表示時間を予め設定可能とする、という構成を採っている。
上記構成では、先行して表示される機能特定コード又は機能内容表示について、その初回表示時間を設定することで、設定入力手段からの機能特定コードの入力時の表示において、設定時間に応じた機能特定コード又は機能内容表示の初回表示が行われる。
【０００８】
請求項４記載の発明は、請求項１，２又は３記載の発明と同様の構成を備えると共に、制御手段に対し、機能特定コードと機能内容表示の交互表示の切り替え時間を予め設定可能とする、という構成を採っている。
上記構成では、交互に繰り返される機能特定コード又は機能内容表示の切り替え表示が、設定された切り替え時間で行われる。
【発明の効果】
【０００９】
請求項１記載の発明は、制御手段は、表示手段に、入力された機能特定コードと機能内容表示とを交互に表示させるため、設定入力を行なった作業者は、機能特定コードと機能内容表示の双方から、自己が設定すべき機能が正しく入力されたことを視覚的に確認することができ、設定作業の円滑性及び正確性を向上することが可能となる。
特に、表示情報量が少ない表示手段であってもその限界以上の情報量で表示を行うと共に、機能特定コードと機能内容表示の双方から視覚的に内容を認識させることが出来、設定作業の円滑性及び正確性を向上が図られる。
【００１０】
請求項２記載の発明は、設定入力手段からの機能特定コードの入力時の表示において、機能特定コードと機能内容表示の内の設定されたものから先行して表示される。このため、機能特定コードの入力を行う作業者が、機能特定コードと機能内容表示の内の認識を容易とする方を先行表示する設定を行うことにより、自己が設定すべき機能が正しく入力されたことを迅速に確認することができ、設定作業の円滑性及び正確性をさらに向上することが可能となる。
【００１１】
請求項３記載の発明は、設定入力手段からの機能特定コードの入力時の表示において、設定時間に応じた機能特定コード又は機能内容表示の初回表示が行われる。このため、機能特定コードの入力を行う作業者が、機能特定コード又は機能内容表示からの把握が容易となる表示時間を初回表示時間に設定することにより、自己が設定すべき機能が正しく入力されたことをより正確に認識することができ、設定作業の正確性をさらに向上することが可能となる。
【００１２】
請求項４記載の発明は、設定入力手段からの機能特定コードの入力時の表示において、設定切り替え時間に応じて機能特定コードと機能内容表示の切り替え表示が行われる。このため、機能特定コードの入力を行う作業者が、機能特定コード又は機能内容表示からの把握が容易となる表示時間を切り替え表示時間に設定することにより、自己が設定すべき機能の誤認識を抑制し、設定作業の正確性をさらに向上することが可能となる。
【発明を実施するための最良の形態】
【００１３】
（実施形態の全体構成）
以下、図面に基づいて本発明の実施の形態を詳細に説明する。図１は本実施形態たるミシンの制御装置１０の全体構成を示すブロックであり、図２は後述する操作スイッチ２６と表示器２７とが設けられた制御装置１０の正面の一部を示す説明図である。
ミシン１００は、糸切り、縫い針の上下動や釜機構の回転駆動等を行うミシンモータ１１１と、布押さえ等を行う各種のアクチュエータ（例えば、電磁ソレノイド、エアシリンダ等であるがその図示は省略する）とを備えており、これらが制御装置１０の制御下で駆動されて、一連の縫製作業が行われるようになっている。
制御装置１０は、種々の命令、縫製パラメータ並びにその他制御データに従ってミシン１００の縫製制御を行うための各種の制御プログラムが格納されたＲＯＭ２２と、各種プログラムを実行して各種の処理及び制御を行う制御手段としてのＣＰＵ２１と、各種のプログラムやデータが一時的に格納されて作業領域となるＲＡＭ２３と、各種の設定データが書き替え可能に記憶された不揮発性メモリとしてのＥＥＰＲＯＭ２４と、ＣＰＵ２１に対して作業者が各種の指令を入力する指示入力手段２５と、ＣＰＵ２１に対して作業者が各種の設定入力を行う設定入力手段としての操作スイッチ２６と、ＣＰＵ２１の制御に従い所定の表示を行う表示器２７とを備えている。
【００１４】
指示入力手段２５は、ミシン１００の作業者が各種動作を指示入力するスイッチ、操作ペダル等から構成され、例えば、ミシンモータ１１１の起動と停止、ミシンモータ１１１の回転駆動速度、布押さえの昇降等が入力される。
かかる指示入力手段２５は、図示しないインタフェースを介してＣＰＵ２１の指示入力ポートと接続されており、かかる指示入力ポートから指示内容を示す信号の入力を受けると、ＣＰＵ２１は、その指示内容に応じた制御プログラムを実行し、後述する各出力ポートから制御信号の出力を行う。
【００１５】
上記ミシンモータ１１１にはミシンモータ駆動回路１１２が併設され、かかるミシンモータ駆動回路１１２は、図示しないインタフェースを介してＣＰＵ２１と接続されている。ＣＰＵ２１は、所定のミシンモータ制御ポートから制御信号を出力し、当該制御信号の示す内容に従って、ミシンモータ駆動回路１１２はミシンモータ１１１の回転速度制御や駆動の開始又は停止等を行う。
【００１６】
また、図示しない各アクチュエータにもアクチュエータの駆動回路が併設され、かかる駆動回路も、図示しないインタフェースを介してＣＰＵ２１と接続されている。ＣＰＵ２１は、所定のアクチュエータの制御ポートから制御信号を出力し、当該制御信号の示す内容に従って、アクチュエータの駆動回路はアクチュエータの動作を実行させる。
【００１７】
操作スイッチ２６は、図２に示すように、表示器２７の下方に併設されており、四つの入力キー３１〜３４から構成されている。かかる操作スイッチ２６は、表示器２７の表示内容を手がかりにＣＰＵ２１に入力を行うものであり、各入力キー３１〜３４は、それぞれインタフェースを介してＣＰＵ２１の入力ポートに接続されている。
上下入力キー３１，３２は、数値入力作業において、入出力ポートや表示方法の入力設定の際に使用され、増減入力キー３３，３４は入力数値の増減に使用される。
【００１８】
表示器２７には表示器駆動回路２８が併設され、かかる表示器駆動回路２８は、図示しないインタフェースを介してＣＰＵ２１と接続されている。ＣＰＵ２１は、所定の表示器制御ポートから制御信号を出力し、当該制御信号の示す内容に従って、表示器２７は所定の表示を行う。
具体的には、表示器２７は、図２に示すように、横一列に並べて配設された七つの７セグメントＬＥＤ４１〜４７であり、各セグメントの表示機能に基づいて、数字、アルファベットその他の記号の表示を行う。
【００１９】
ＣＰＵ２１は、前述したように、外部からの各種の信号を受信する入力ポートと制御信号を出力する出力ポートを複数備えており、各ポート毎に機能が予め設定されると共にその機能に応じた信号の送受を行う。つまり、ＣＰＵ２１と接続された前述した各構成は、全て入力又は出力ポートを通じて信号のやりとりを行い、所定の入力をＣＰＵ２１に対して行い、或いは、ＣＰＵ２１の指令に従った動作を行う。
そして、上記ＣＰＵ２１には、ミシン１００の出荷の段階で、まだ未接続、未使用の八つの入力ポート５１〜５８及び八つの出力ポート６１〜６８とが設けられている。
これらの入力ポート５１〜５８及び出力ポート６１〜６８は、後からオプションの機能を追加する場合に用いられるものである。
【００２０】
ＣＰＵ２１は、上述の各オプション機能を各入力ポート５１〜５８及び出力ポート６１〜６８に設定することが可能となっている。
かかるオプション機能は、複数種の機能内容（設定されたポートからいかなる場合にいかなる信号を出力するかを規定する処理内容）がＲＯＭ２２に用意されている。図３（Ａ）には各入力ポート５１〜５８に対して設定可能な一部の機能の一覧を示し、図３（Ｂ）には各出力ポート６１〜６８に対して設定可能な一部の機能の一覧を示す。
各種機能は、図示の如く、個別に数字からなる機能特定コードが決められており、また、各機能ごとに、その内容を略記的に表示する機能内容表示が決められている。また、各機能毎に、ポートからいかなる信号を受信するか、また受信後にいかなる処理を実行するか、いかなる信号を送信するか、いかなるタイミングで送信するか、等の各種機能に応じた処理の内容が決められている。
そして、これら各機能毎に、その機能特定コード、機能内容表示、処理内容が対応付けられてＲＯＭ２２に記憶されている。
また、各入力ポート５１〜５８及び出力ポート６１〜６８は、それぞれ設定作業において個別に選択されるので、各ポートを特定するために当該各ポート毎にポートコードが決められており、これらは予めＲＯＭ２２に記憶されている。
【００２１】
上記ＣＰＵ２１は、各入力ポートト５１〜５８及び出力ポート６１〜６８にミシンの機能を設定するために以下の処理を実行する。
ＣＰＵ２１は、所定の処理プログラムにより、後述する機能設定モードにおいて、操作スイッチ２６から入力操作により機能特定コードの入力を受けると、ＲＯＭ２２を参照して、入力された機能特定コードとこれに対応する機能内容表示とを特定し、表示器２７を制御して、特定された機能特定コード及び機能内容表示を交互に切り替える表示を行わせる。
【００２２】
また、ＣＰＵ２１は、所定の処理プログラムにより、後述する表示設定モードにおいて、機能特定コードの入力により表示器２７に交互に表示させる機能特定コードと機能内容表示のいずれの表示項目を先に表示するかの選択設定を操作スイッチ２６から受けると共に、選択された表示項目をＥＥＰＲＯＭ２４に記憶する処理を行う。
また、ＣＰＵ２１は、所定の処理プログラムにより、後述する機能設定モードにおいて、操作スイッチ２６からの機能特定コードの入力により交互表示を行う機能特定コード及び機能内容表示の内、ＥＥＰＲＯＭ２４に先行表示すべきと設定されている表示項目から先に表示を行わせるように、表示器２７の制御を行う。
【００２３】
また、ＣＰＵ２１は、所定の処理プログラムにより、後述する表示設定モードにおいて、機能特定コードの入力により表示器２７に交互に表示させる場合の先行表示項目の初回表示時間を操作スイッチ２６から受けると共に、設定された初回表示時間をＥＥＰＲＯＭ２４に記憶する処理を行う。
また、ＣＰＵ２１は、所定の処理プログラムにより、後述する機能設定モードにおいて、操作スイッチ２６からの機能特定コードの入力により交互に表示させる場合の先行表示項目を、ＥＥＰＲＯＭ２４に設定されている初回表示時間に従って初回の表示を行わせるように、表示器２７の制御を行う。
【００２４】
また、ＣＰＵ２１は、所定の処理プログラムにより、後述する表示設定モードにおいて、機能特定コードの入力により表示器２７に交互に表示させる機能特定コード及び機能内容表示の表示切替時間を操作スイッチ２６から受けると共に、設定された表示切替時間をＥＥＰＲＯＭ２４に記憶する処理を行う。
また、ＣＰＵ２１は、所定の処理プログラムにより、後述する機能設定モードにおいて、操作スイッチ２６からの機能特定コードの入力により交互に表示させる機能特定コード及び機能内容表示を、先行表示項目の初回表示を除いて、ＥＥＰＲＯＭ２４に設定されている表示切替時間に従って交互に表示を行わせるように、表示器２７の制御を行う。
【００２５】
（ミシンの制御装置の動作説明）
図４はミシンの制御装置１０の表示設定モードの処理フローチャートであり、図５はミシンの制御装置１０の機能設定モードの処理フローチャートである。かかる図４及び図５に基づいて、ミシンの制御装置１０の動作説明を表示設定モード及び機能設定モードを主として説明する。
まず、主電源投入時に予め操作スイッチ２６の入力キー３１が押されていると、ＣＰＵ２１は、所定の処理プログラムにより、各ポート５１〜５８，６１〜６８に対しオプション機能設定を行うことを可能とする機能設定モードにおける表示器２７の表示条件を設定するための表示設定モードを起動する処理が行われる。
【００２６】
表示設定モードでは、まず、ＣＰＵ２１は、所定の処理プログラムにより、操作スイッチ２６から先行表示項目を設定入力可能とする処理が行われる。即ち、ＣＰＵ２１は、表示設定モードが起動された時、最初に設定する表示設定項目として予め決められている先行表示項目を設定するためのステップ１に移行する。即ち、ＣＰＵ２１は、表示器２７の上三桁のＬＥＤ４１〜４３により、現在、先行表示項目の設定を受け付けている状態を示す「１００」の表示を行うと共に下一桁のＬＥＤ４７によりデフォルトである「０」又は既に設定が行われている場合には当該従前の設定に従う数値の表示を行うように表示器２７の制御を行う（ステップＳ１）。
ここで、下一桁のＬＥＤ４７において「０」は機能特定コードを先行表示する設定を示し、「１」は機能内容表示を先行表示する状態を示す。そして、これらの切替は入力キー３３，３４により行われる。
【００２７】
そして、入力キー３３又は３４により変更が入力されると（ステップＳ２：ＹＥＳ）、当該入力に基づいて下一桁のＬＥＤ４７において「０」又は「１」の表示を切り替えて、先行表示を行う表示項目（機能特定コードと機能内容表示のいずれを先行表示するか）をＥＥＰＲＯＭ２４に記憶する（ステップＳ３）。そして、ステップＳ４の処理に移行する。
また、入力キー３３又は３４の入力がない場合は、変更を行うことなくステップＳ４に移行する（ステップＳ２：ＮＯ）。
【００２８】
ステップＳ４では、ＣＰＵ２１は、所定の処理プログラムにより、操作スイッチ２６から先行表示項目の初回表示時間を設定入力可能とする処理が行われる。即ち、ステップＳ４において、ＣＰＵ２１は、入力キー３１又は３２が操作されることにより表示器２７の上三桁のＬＥＤ４１〜４３に表示される数値が増減されて、先行表示項目の初回表示時間の設定に対応する数値「１０１」が表示されたか否か、即ち、先行表示項目の初回表示時間の設定状態になったか否かを判別する。ここで、肯定判断された場合（ステップＳ４：ＹＥＳ）は、ステップＳ５に移行して、ＣＰＵ２１は、既に設定されている先行表示項目の初回表示時間に対応する数値（例えば、「１０００」）を表示器２７の下四桁のＬＥＤ４４〜４７に表示する制御を行う。
ここで、下四桁のＬＥＤ４４〜４７により表示される「１０００」の数値は、単位を[msec]としており、入力キー３３，３４によりその増減が入力される。
【００２９】
そして、増減の入力キー３３，３４により、数値の変更が入力されると（ステップＳ６：ＹＥＳ）、ＣＰＵ２１は当該入力に基づいて下四桁のＬＥＤ４４〜４７において「１０００」から増減する表示を行い、入力キー３１の入力があった時点でその初回表示時間をＥＥＰＲＯＭ２４に記憶する（ステップＳ７）。そして、ステップＳ８の処理に移行する。
また、入力キー３３又は３４の入力がない場合は、変更を行うことなくステップＳ８に移行する（ステップＳ６：ＮＯ）。
なお、ステップＳ４で先行表示項目の表示時間の設定状態になっていないと判別された場合（ステップＳ４でＮＯ）は、そのままステップＳ８に移行する。
【００３０】
ステップＳ８では、ＣＰＵ２１は、所定の処理プログラムにより、操作スイッチ２６から機能特定コードと機能内容表示との表示切替時間を設定入力可能とする処理が行われる。即ち、入力キー３１又は３２が操作されることにより表示器２７の上三桁のＬＥＤ４１〜４３に表示される数値が増減されて、表示切替時間の設定に対応する数値「１０２」が表示されたか否か、即ち、表示切替時間の設定状態になったか否かを判別する。ここで、肯定判断された場合（ステップＳ８：ＹＥＳ）は、ステップＳ９に移行して、ＣＰＵ２１は、既に設定されている表示切替時間に対応する数値（例えば、「０５００」）を表示器２７の下四桁のＬＥＤ４４〜４７に表示する制御を行う。  ここで、下四桁のＬＥＤ４４〜４７により表示される「０５００」の数値は、単位を[msec]としており、入力キー３３，３４によりその増減が入力される。  そして、増減の入力キー３３，３４により、数値の変更が入力されると（ステップＳ１０：ＹＥＳ）、ＣＰＵ２１は当該入力に基づいて下四桁のＬＥＤ４４〜４７において「０５００」から増減する表示を行い、その表示切替時間をＥＥＰＲＯＭ２４に記憶する（ステップＳ１１）。そして、ステップＳ１２の処理に移行する。
また、入力キー３３又は３４の入力がない場合は、変更を行うことなくステップＳ１２に移行する（ステップＳ１０：ＮＯ）。
なお、ステップＳ８で表示切替時間の設定状態になっていないと判別された場合（ステップＳ８でＮＯ）は、そのままステップＳ１２に移行する。
【００３１】
ステップＳ１２では、ＣＰＵ２１は、所定の処理プログラムにより、操作スイッチ２６から機能特定コードと機能内容表示とのいずれを先行表示するかを設定入力可能とする処理が行われる。即ち、入力キー３１又は３２が操作されることにより表示器２７の上三桁のＬＥＤ４１〜４３に表示される数値が増減されて、先行項目表示の設定に対応する数値「１００」が表示されたか否か、即ち、先行項目表示の設定状態になったか否かを判別する。ここで、肯定判断された場合（ステップＳ１２：ＹＥＳ）は、ステップＳ１に戻り、再び先行項目を設定入力可能な状態に戻される。
【００３２】
なお、表示設定モードの処理は、ミシン１００の主電源が切られることで終了するようになっているが、各設定は、その入力時に逐次ＥＥＰＲＯＭ２４に記録されるため、ミシン１００の主電源を切っても設定は残存し、機能設定モードにおいて反映される。
【００３３】
次に、機能設定モードについて説明する。
ここで、新規機能設定時における表示器２７の表示例について図６及び図７に基づいて説明する。図６は入力ポート５１に対して低速指令の入力を受ける機能を設定する場合の表示例を示し、図７は出力ポート６１に対して押さえ上げ指令の出力を行う機能を設定する場合の表示例を示している。
【００３４】
新機能の設定を行う処理においては、表示器２７の上位二桁の表示は設定を行うのが入力ポートか出力ポートかを示しており、上三桁目は何番目のポートであるかを示す。即ち、図６に示すように、上二桁が「９０」の場合は入力ポートを示し、図７に示すように「９１」の場合は出力ポートを示す。従って、図６のように「９０１」との表示は一番目の入力ポート５１が選択された状態を示し、図７のように「９１１」との表示は一番目の出力ポート６１が選択された状態を示す。
【００３５】
また、表示器２７の下位四桁は、機能特定コード又は機能内容表示が行われる。例えば、図６（Ａ）は入力ポート５１〜５８に対して設定可能な機能である「低速指令」の機能特定コードである「０００３」が表示された場合であり、図６（Ｂ）は同機能の機能内容表示である「ＬＳＳＷ」（Low Speed Switchの意味）が表示された場合を示す。さらに、図７（Ａ）は出力ポート６１〜６８に対して設定可能な機能である「押さえ上げ出力」の機能特定コードである「０００３」が表示された場合であり、図７（Ｂ）は同機能の機能内容表示である「ＦＬ」(Foot Lifterの意味)が表示された場合を示す。
【００３６】
次に、図５のフローチャートに基づいて機能設定モードの各処理について説明する。まず、主電源投入時に予め操作スイッチ２６の入力キー３２が押されていると、ＣＰＵ２１は、所定の処理プログラムにより、各ポート５１〜５８，６１〜６８に対しオプション機能設定を行うことを可能とする機能設定モードを起動する処理が行われる。
ステップＳ２１において、ＣＰＵ２１は、表示器２７の上三桁のＬＥＤ４１〜４３により、電源投入時に最初に表示するポートとして予め設定されているポート５１に対応する「９０１」の表示を行わせる制御を行う。
また同時に、ＣＰＵ２１は、ＥＥＰＲＯＭ２４を参照して前述のステップＳ１〜Ｓ３，Ｓ１２で設定された先行表示項目に従って、機能特定コードの初期表示である「００００」又は機能内容表示の初期表示である「ｎｏＰ」の表示を行わせる制御を行う。なお、この機能表示Ｓ２１の処理とポート表示の処理は同時に行っても良いし、機能表示が先に行われても良い。
【００３７】
次いで、ＣＰＵ２１は、タイマの計時をリセットする処理を行った後（ステップＳ２２）に、タイマにより計時を開始する処理を行う（ステップＳ２３）。
さらに、ＣＰＵ２１は、機能設定を行うポートの変更（設定）又は設定する機能の変更（設定）があったか否かの判断を行う（ステップＳ２４）。かかるポートの変更は、操作スイッチ２６の入力キー３１，３２により行われ、機能の変更は入力キー３３，３４により行われる。従って、ステップＳ２４において、ＣＰＵ２１は、入力キー３１〜３４の入力の検出を行い、入力があれば（ステップＳ２４：ＹＥＳ）、表示器２７に対して入力に応じた表示変更制御を行うと共に、設定された入力ポートについて新規の機能を登録するようにＥＥＰＲＯＭ２４に対して記録（更新）を行う（ステップＳ２５）。
ミシンの機能設定後は、ステップＳ２２の処理に戻り、タイマをリセットして再び計時を開始する。
【００３８】
一方、ＣＰＵ２１は、入力キー３１〜３４の入力がない場合には（ステップＳ２４：ＮＯ）、ＥＥＰＲＯＭ２４に記憶された先行項目表示時間を参照すると共に、タイマの計時時間がステップＳ４〜Ｓ７で設定された先行項目表示時間を経過したか否かの判断を行う（ステップＳ２６）。
そして、時間が経過していない場合には（ステップＳ２６：ＮＯ）、ステップＳ２４の処理に戻り、経過した場合には（ステップＳ２６：ＹＥＳ）、表示器２７が機能特定コードを表示していた場合には機能内容表示に切り替える制御を行い、機能内容表示を表示していた場合には機能特定コードに切り替える制御を行う（ステップＳ２７）。
また、表示切り替えを行った場合には、ＣＰＵ２１は、タイマをリセットして（ステップＳ２８）、計時をはじめから開始する処理を行う（ステップＳ２９）。
【００３９】
次いで、ＣＰＵ２１は、機能設定を行うポートの変更（設定）又は設定する機能の変更（設定）があったか否かの判断を行う（ステップＳ３０）。即ち、ＣＰＵ２１は、入力キー３１〜３４の入力の検出を行い、入力があれば（ステップＳ３０：ＹＥＳ）、表示器２７に対して入力に応じた表示変更制御を行うと共に、設定された入力ポートについて新規の機能を登録するようにＥＥＰＲＯＭ２４に対して記録（更新）を行う（ステップＳ２５）。
ミシンの機能設定後は、ステップＳ２２の処理に戻り、タイマをリセットして再び計時を開始する。
【００４０】
一方、ＣＰＵ２１は、入力キー３１〜３４の入力がない場合には（ステップＳ３０：ＮＯ）、ＥＥＰＲＯＭ２４に記憶された表切替時間を参照すると共に、タイマの計時時間がステップＳ８〜Ｓ１１で設定された表示切替時間を経過したか否かの判断を行う（ステップＳ３１）。
そして、時間が経過していない場合には、ステップＳ３０の処理に戻り、経過した場合には、ステップＳ２７の処理に戻り、表示器２７が機能特定コードを表示していた場合には機能内容表示に切り替える制御を行い、機能内容表示を表示していた場合には機能特定コードに切り替える制御を行う。そして、ＣＰＵ２１は、表示切り替え後、タイマをリセットして計時をはじめから開始する処理を行う（ステップＳ２８，Ｓ２９）。
【００４１】
このようにして、任意の入力ポート５１〜５８又は出力ポート６１〜６８に対して新規の機能が設定される。かかる設定は、ミシン１００の主電源が切られることで終了するようになっているが、各ポートの設定は、その入力時に逐次ＥＥＰＲＯＭ２４に記録されるため、ミシン１００の主電源を切っても設定は残存し、次回の縫製時に反映される。
また、新機能が設定されたポートには、新たに設定された機能に応じた構成がインタフェースを介して追加接続され、新規設定機能に応じた信号の入力又は出力がＣＰＵ２１の制御のもとで行われる。
【００４２】
（実施形態の効果）
ミシンの制御装置１０は、機能特定コードの入力を受けると、ＣＰＵ２１が所定の処理プログラムに従って、表示器２７に対して、入力された機能特定コードと機能内容表示とを予め設定された表示切り替え時間に従って交互に切替表示させる制御を行うため（図５のステップＳ３１参照）、設定入力を行なう作業者は、機能特定コードと機能内容表示の双方から、自己が設定すべき機能が正しく入力されたことを視覚的に確認することができ、設定作業の円滑性及び正確性を向上することが可能となる。
特に、表示情報量が少ない７セグメントＬＥＤを使用するような表示器２７であってもその限界以上の情報量で表示を行うと共に、機能特定コードと機能内容表示の双方から視覚的に内容を認識させることが出来、設定作業の円滑性及び正確性を向上が図られる。
【００４３】
また、ミシンの制御装置１０は、ＣＰＵ２１が所定の処理プログラムに従って、操作スイッチ２６から新規機能設定の入力を行うことが出来る状態において、表示器２７に対して、予め設定された機能特定コードと機能内容表示のいずれかの先行表示項目から先行して表示する制御を行う（図５のステップＳ２１参照）。このため、機能特定コードの入力を行う作業者が、機能特定コードと機能内容表示のいずれか認識が容易となる項目を先行表示する設定行うことにより、自己が設定すべき機能が正しく入力されたことを迅速に確認することができ、設定作業の円滑性及び正確性をさらに向上することが可能となる。
【００４４】
さらに、ミシンの制御装置１０では、ＣＰＵ２１が所定の処理プログラムに従って、操作スイッチ２６から新規機能設定の入力を行うことが出来る状態において、予め設定した時間に応じた先行表示項目の初回表示を行うように表示器２７の制御を行う（図５のステップＳ２６参照）。このため、機能特定コードの入力を行う作業者が、機能内容の把握が十分に容易となる時間に設定することにより、自己が設定すべき機能が正しく入力されたことをより正確に認識することができ、設定作業の正確性をさらに向上することが可能となる。
【００４５】
さらに、ミシンの制御装置１０では、ＣＰＵ２１が所定の処理プログラムに従って、操作スイッチ２６から新規機能設定の入力を行うことが出来る状態において、予め設定した切り替え時間に応じて機能特定コードと機能内容表示との切り替え表示が行われるように表示器２７を制御する（図５のステップＳ３１参照）。このため、機能特定コードの入力を行う作業者が、機能特定コード又は機能内容表示からの把握が容易となる表示時間を切り替え表示時間に設定することにより、自己が設定すべき機能の誤認識を抑制し、設定作業の正確性をさらに向上することが可能となる。
【図面の簡単な説明】
【００４６】
【図１】発明の実施形態たるミシンの制御装置の全体構成を示すブロックである。
【図２】操作スイッチと表示器とが設けられた制御装置の正面の一部を示す説明図である。
【図３】図３（Ａ）には各入力ポートに対して設定可能な一部の機能の一覧を示し、図３（Ｂ）には各出力ポートに対して設定可能な一部の機能の一覧を示す図表である。
【図４】ミシンの制御装置の表示設定モードの処理フローチャートである。
【図５】ミシンの制御装置の機能設定モードの処理フローチャートである。
【図６】入力ポートに対して低速指令の入力を受ける機能を設定する場合の表示器の表示例を示す説明図であって、図６（Ａ）は機能特定コードの表示状態を示し、図６（Ｂ）は機能内容表示の表示状態を示している。
【図７】出力ポートに対して押さえ上げ指令の出力を行う機能を設定する場合の表示例を示す説明図であって、図７（Ａ）は機能特定コードの表示状態を示し、図７（Ｂ）は機能内容表示の表示状態を示している。
【符号の説明】
【００４７】
１０  ミシンの制御装置
２１  ＣＰＵ（制御手段）
２２  ＲＯＭ（記憶手段）
２４  ＥＥＰＲＯＭ
２６  操作スイッチ（設定入力手段）
２７  表示器（表示手段）
１００  ミシン
【図１】
2005312737.tif 000003
【図２】
2005312737.tif 000004
【図３】
2005312737.tif 000005
【図４】
2005312737.tif 000006
【図５】
2005312737.tif 000007
【図６】
2005312737.tif 000008
【図７】
2005312737.tif 000009